【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
コンピュータ上で複数のソフトウェアの中から１つを選択して起動するソフトウェア起動方法であって、
コンピュータが備える機能情報取得手段が、記憶手段に、前記複数のソフトウェアの機能情報とソフトウェア名称とを対応させて記憶しておくステップと、
コンピュータが備える機能情報検索・対象ソフト表示手段が、入力されたキーワードをもとに前記機能情報を検索し、そのキーワードを含む機能情報に対応するソフトウェア名称を一覧表示するステップと、
コンピュータが備える指定ソフト起動手段が、一覧表示した中から使用者が指定したソフトウェア名称のソフトウェアを起動するステップと
を備えたことを特徴とするソフトウェア起動方法。
【請求項２】
請求項１に記載のソフトウェア起動方法において、
前記機能情報検索・対象ソフト表示手段が行なうソフトウェア名称を一覧表示するステップは、前記入力されたキーワードを含む機能情報に対応するソフトウェア名称とともに、その機能情報の少なくとも一部を表示するものであり、
さらに、表示された機能情報の一部が指定されたとき、前記機能情報検索・対象ソフト表示手段が、その機能情報の全文を表示するステップを備えたことを特徴とするソフトウェア起動方法。
【請求項３】
請求項１に記載のソフトウェア起動方法において、
前記複数のソフトウェアの機能情報とソフトウェア名称とを対応させて記憶しておくステップは、コンピュータが備える機能情報取得手段が、ソフトウェアのインストール時にそのソフトウェアの機能情報を取得し、当該機能情報とソフトウェア名称とを対応させて記憶手段に記憶するものであることを特徴とするソフトウェア起動方法。
【請求項４】
請求項１に記載のソフトウェア起動方法において、
コンピュータが備える機能情報編集手段が、ソフトウェアの機能情報とソフトウェア名称とを追加、登録、および編集するステップをさらに備えたことを特徴とするソフトウェア起動方法。
【請求項５】
請求項１に記載のソフトウェア起動方法において、
前記ソフトウェアの機能情報は、インターネットを利用してダウンロードした情報であることを特徴とするソフトウェア起動方法。
【請求項６】
コンピュータ上で複数のソフトウェアの中から１つを選択して起動するソフトウェア起動プログラムであって、
コンピュータを、
前記複数のソフトウェアの機能情報とソフトウェア名称とを対応させて記憶しておく手段と、
入力されたキーワードをもとに前記機能情報を検索し、そのキーワードを含む機能情報に対応するソフトウェア名称を一覧表示する手段と、
一覧表示した中から使用者が指定したソフトウェア名称のソフトウェアを起動する手段として、
機能させることを特徴とするソフトウェア起動プログラム。
【請求項７】
請求項６に記載のソフトウェア起動プログラムにおいて、
前記ソフトウェア名称を一覧表示する手段は、前記入力されたキーワードを含む機能情報に対応するソフトウェア名称とともに、その機能情報の少なくとも一部を表示するものであり、
さらに、表示された機能情報の一部が指定されたとき、その機能情報の全文を表示する手段を備えたことを特徴とするソフトウェア起動プログラム。
【請求項８】
請求項６に記載のソフトウェア起動プログラムにおいて、
前記複数のソフトウェアの機能情報とソフトウェア名称とを対応させて記憶しておく手段は、ソフトウェアのインストール時にそのソフトウェアの機能情報を取得し、当該機能情報とソフトウェア名称とを対応させて記憶するものであることを特徴とするソフトウェア起動プログラム。
【手続補正２】
【補正対象書類名】明細書
【補正対象項目名】０００９
【補正方法】変更
【補正の内容】
【０００９】
【課題を解決するための手段】
上記目的を達成するために、請求項１に係る発明は、コンピュータ上で複数のソフトウェアの中から１つを選択して起動するソフトウェア起動方法であって、コンピュータが備える機能情報取得手段が、記憶手段に、前記複数のソフトウェアの機能情報とソフトウェア名称とを対応させて記憶しておくステップと、コンピュータが備える機能情報検索・対象ソフト表示手段が、入力されたキーワードをもとに前記機能情報を検索し、そのキーワードを含む機能情報に対応するソフトウェア名称を一覧表示するステップと、コンピュータが備える指定ソフト起動手段が、一覧表示した中から使用者が指定したソフトウェア名称のソフトウェアを起動するステップとを備えたことを特徴とする。
【手続補正３】
【補正対象書類名】明細書
【補正対象項目名】００１０
【補正方法】変更
【補正の内容】
【００１０】
請求項２に係る発明は、請求項１に記載のソフトウェア起動方法において、前記機能情報検索・対象ソフト表示手段が行なうソフトウェア名称を一覧表示するステップは、前記入力されたキーワードを含む機能情報に対応するソフトウェア名称とともに、その機能情報の少なくとも一部を表示するものであり、さらに、表示された機能情報の一部が指定されたとき、前記機能情報検索・対象ソフト表示手段が、その機能情報の全文を表示するステップを備えたことを特徴とする。
【手続補正４】
【補正対象書類名】明細書
【補正対象項目名】００１１
【補正方法】変更
【補正の内容】
【００１１】
請求項３に係る発明は、請求項１に記載のソフトウェア起動方法において、前記複数のソフトウェアの機能情報とソフトウェア名称とを対応させて記憶しておくステップは、コンピュータが備える機能情報取得手段が、ソフトウェアのインストール時にそのソフトウェアの機能情報を取得し、当該機能情報とソフトウェア名称とを対応させて記憶手段に記憶するものであることを特徴とする。
【手続補正５】
【補正対象書類名】明細書
【補正対象項目名】００１２
【補正方法】変更
【補正の内容】
【００１２】
請求項４に係る発明は、請求項１に記載のソフトウェア起動方法において、コンピュータが備える機能情報編集手段が、ソフトウェアの機能情報とソフトウェア名称とを追加、登録、および編集するステップをさらに備えたことを特徴とする。
【手続補正６】
【補正対象書類名】明細書
【補正対象項目名】００１４
【補正方法】変更
【補正の内容】
【００１４】
請求項６に係る発明は、コンピュータ上で複数のソフトウェアの中から１つを選択して起動するソフトウェア起動プログラムであって、コンピュータを、前記複数のソフトウェアの機能情報とソフトウェア名称とを対応させて記憶しておく手段と、入力されたキーワードをもとに前記機能情報を検索し、そのキーワードを含む機能情報に対応するソフトウェア名称を一覧表示する手段と、一覧表示した中から使用者が指定したソフトウェア名称のソフトウェアを起動する手段として、機能させることを特徴とする。
【手続補正７】
【補正対象書類名】明細書
【補正対象項目名】００１５
【補正方法】変更
【補正の内容】
【００１５】
請求項７に係る発明は、請求項６に記載のソフトウェア起動プログラムにおいて、前記ソフトウェア名称を一覧表示する手段は、前記入力されたキーワードを含む機能情報に対応するソフトウェア名称とともに、その機能情報の少なくとも一部を表示するものであり、さらに、表示された機能情報の一部が指定されたとき、その機能情報の全文を表示する手段を備えたことを特徴とする。